(57)【特許請求の範囲】
【請求項１】
外部装置に給電を行う電力供給装置であって、
前記外部装置と接続する接続手段と、
前記接続手段が接続している外部装置に電力を供給する処理を、電源から出力される電力を用いて実行する給電手段と、
前記給電手段が実行する処理以外の処理を、前記電源から出力される電力を用いて実行する実行手段と、を有し、
前記実行手段は、前記給電手段が電力を供給する処理を実行している場合の、前記給電手段が実行する処理以外の処理において用いられる電力のピーク値を、前記給電手段が電力を供給する処理を実行していない場合の、前記給電手段が実行する処理以外の処理において用いられる電力のピーク値より、前記給電手段が供給している電力の電力値に応じて小さくすることを特徴とする電力供給装置。
【請求項２】
外部装置に給電を行う電力供給装置であって、
前記外部装置と接続する接続手段と、
前記接続手段が接続している外部装置に電力を供給する処理を、電源から出力される電力を用いて実行する給電手段と、
前記給電手段が実行する処理以外の処理を、前記電源から出力される電力を用いて実行する実行手段と、を有し、
前記実行手段は、前記給電手段が第１の電力値の電力を供給する処理を実行している場合の、前記給電手段が実行する処理以外の処理において用いられる電力のピーク値を、前記給電手段が前記第１の電力値より小さい第２の電力値の電力を供給する処理を実行している場合の、前記給電手段が実行する処理以外の処理において用いられる電力のピーク値より小さくすることを特徴とする電力供給装置。
【請求項３】
外部装置に給電を行う電力供給装置であって、
前記外部装置と接続する接続手段と、
前記接続手段が接続している外部装置に電力を供給する処理を、電源から出力される電力を用いて実行する給電手段と、
前記給電手段が実行する処理以外の処理を、前記電源から出力される電力を用いて実行する実行手段と、を有し、
前記実行手段は、前記給電手段が電力を供給する処理を実行している場合の、前記給電手段が実行する処理以外の処理において用いられる電力のピーク値を、前記給電手段が電力を供給する処理を実行していない場合の、前記給電手段が実行する処理以外の処理において用いられる電力のピーク値より小さくし、
前記外部装置に電力を供給する処理以外の処理は、記録剤を吐出する複数の吐出口が所定方向に配列された吐出口列を備える記録部を前記所定方向と交差する方向に走査させながら前記複数の吐出口から前記記録剤を吐出させることで、記録媒体上に画像を形成する画像処理であることを特徴とする電力供給装置。
【請求項４】
前記実行手段は、前記給電手段が電力を供給している場合に実行される前記画像処理において前記記録剤を吐出する前記吐出口の数を、前記給電手段が電力を供給していない場合に実行される前記画像処理において前記記録剤を吐出する前記吐出口の数より少なくすることを特徴とする請求項３に記載の電力供給装置。
【請求項５】
前記実行手段は、前記給電手段が電力を供給している場合に実行される前記画像処理において前記吐出口が前記記録部の１回の走査において前記記録剤を吐出する回数を、前記給電手段が電力を供給していない場合に実行される前記画像処理において前記吐出口が前記記録部の１回の走査において前記記録剤を吐出する回数より少なくすることを特徴とする請求項３又は請求項４に記載の電力供給装置。
【請求項６】
外部装置に給電を行う電力供給装置であって、
前記外部装置と接続する接続手段と、
前記接続手段が接続している外部装置に電力を供給する処理を、電源から出力される電力を用いて実行する給電手段と、
前記給電手段が実行する処理以外の処理を、前記電源から出力される電力を用いて実行する実行手段と、を有し、
前記実行手段は、前記給電手段が電力を供給する処理を実行している場合の、前記給電手段が実行する処理以外の処理において用いられる電力のピーク値を、前記給電手段が電力を供給する処理を実行していない場合の、前記給電手段が実行する処理以外の処理において用いられる電力のピーク値より小さくし、
前記外部装置に電力を供給する処理以外の処理は、記録媒体に転写された記録剤を、前記記録媒体を搬送しながら、加熱及び加圧して前記記録媒体に定着させることで、前記記録媒体上に画像を形成する画像処理であることを特徴とする電力供給装置。
【請求項７】
前記実行手段は、前記給電手段が電力を供給している場合に実行される前記画像処理において前記記録剤を加熱する温度を、前記給電手段が電力を供給していない場合に実行される前記画像処理において前記記録剤を加熱する温度より低くすることを特徴とする請求項６に記載の電力供給装置。
【請求項８】
前記実行手段は、前記給電手段が電力を供給している場合に前記記録媒体が搬送される速度を、前記給電手段が電力を供給していない場合に前記記録媒体が搬送される速度より遅くすることを特徴とする請求項３〜７のいずれか１項に記載の電力供給装置。
【請求項９】
前記実行手段は、前記外部装置に電力を供給する処理以外の処理を前記実行手段が実行している状態で前記給電手段による電力の供給が開始された場合、前記外部装置に電力を供給する処理以外の処理を省電力状態で実行する処理を開始し、前記外部装置に電力を供給する処理以外の処理を前記実行手段が実行している状態で前記給電手段による電力の供給が停止された場合、前記外部装置に電力を供給する処理以外の処理を省電力状態で実行する処理を停止することを特徴とする請求項１乃至請求項８のいずれか一項に記載の電力供給装置。
【請求項１０】
前記接続手段が接続している外部装置から、所定の電力値の電力の供給を要求するための給電要求を受け付ける受け付け手段をさらに有し、
前記給電手段は、前記受け付け手段が前記給電要求を受け付けた場合、前記接続手段が接続している外部装置に前記給電要求によって要求された電力値に応じた電力を供給することを特徴とする請求項１乃至請求項９のいずれか一項に記載の電力供給装置。
【請求項１１】
前記受け付け手段が前記給電要求を受け付けた場合、前記外部装置に電力を供給する処理以外の処理を前記実行手段が省電力状態で実行するモードを前記電力供給装置に設定する設定手段をさらに有することを特徴とする請求項１０に記載の電力供給装置。
【請求項１２】
前記給電手段は、前記受け付け手段が受け付けた給電要求によって要求された電力値が所定の電力値以上である場合、前記接続手段が接続している外部装置に電力を供給しないことを特徴とする請求項１０又は請求項１１に記載の電力供給装置。
【請求項１３】
前記受け付け手段が受け付けた給電要求によって要求された電力値が所定の電力値以上であり、前記接続手段が接続している外部装置に前記給電手段が電力を供給しない場合に、前記接続手段が接続している外部装置に前記給電手段が電力を供給しないことを通知する画面を表示する第１表示手段を有することを特徴とする請求項１２に記載の電力供給装置。
【請求項１４】
前記受け付け手段が受け付けた給電要求によって要求された電力値が所定の電力値以上である場合に前記給電手段が電力を供給しない第１のモード又は、前記受け付け手段が受け付けた給電要求によって要求された電力値が所定の電力値以上である場合でも前記接続手段が接続している外部装置に前記給電手段が電力を供給する第２のモードのいずれかを前記電力供給装置に設定するための設定画面を表示する第２表示手段を有することを特徴とする請求項１２又は請求項１３に記載の電力供給装置。
【請求項１５】
前記実行手段が、前記給電手段が実行する処理以外の処理として複数の処理を実行する場合、
前記実行手段は、前記給電手段が電力を供給する処理を実行している場合の、前記複数の処理のうち消費する電力のピーク値の大きい処理において用いられる電力のピーク値を、前記給電手段が電力を供給する処理を実行していない場合の、当該消費する電力のピーク値の大きい処理において用いられる電力のピーク値より小さくする請求項１乃至請求項１４のいずれか一項に記載の電力供給装置。
【請求項１６】
外部装置に給電を行う電力供給装置において実行される制御方法であって、
前記外部装置と接続する接続ステップと、
前記接続ステップにて接続した外部装置に電力を供給する処理を、電源から出力される電力を用いて実行する給電ステップと、
前記外部装置に電力を供給する処理以外の処理を、前記電源から出力される電力を用いて実行する実行ステップと、
前記実行ステップでは、前記給電ステップと同時に実行される場合の、前記外部装置に電力を供給する処理以外の処理において用いられる電力のピーク値を、前記給電ステップと同時に実行されない場合の前記外部装置に電力を供給する処理以外の処理において用いられる電力のピーク値より、前記給電ステップにて供給している電力の電力値に応じて小さくすることを特徴とする制御方法。
【請求項１７】
外部装置に給電を行う電力供給装置において実行される制御方法であって、
前記外部装置と接続する接続ステップと、
前記接続ステップにて接続した外部装置に電力を供給する処理を、電源から出力される電力を用いて実行する給電ステップと、
前記外部装置に電力を供給する処理以外の処理を、前記電源から出力される電力を用いて実行する実行ステップと、を有し、
前記実行ステップでは、前記給電ステップにて第１の電力値の電力を供給する処理が実行されている場合の、前記外部装置に電力を供給する処理以外の処理において用いられる電力のピーク値を、前記給電ステップにて前記第１の電力値より小さい第２の電力値の電力を供給する処理が実行されている場合の、前記外部装置に電力を供給する処理以外の処理において用いられる電力のピーク値より小さくすることを特徴とする制御方法。
【請求項１８】
外部装置に給電を行う電力供給装置において実行される制御方法であって、
前記外部装置と接続する接続ステップと、
前記接続ステップにて接続した外部装置に電力を供給する処理を、電源から出力される電力を用いて実行する給電ステップと、
前記外部装置に電力を供給する処理以外の処理を、前記電源から出力される電力を用いて実行する実行ステップと、を有し、
前記実行ステップでは、前記給電ステップと同時に実行される場合の、前記外部装置に電力を供給する処理以外の処理において用いられる電力のピーク値を、前記給電ステップと同時に実行されない場合の、前記外部装置に電力を供給する処理以外の処理において用いられる電力のピーク値より小さくし、
前記外部装置に電力を供給する処理以外の処理は、記録剤を吐出する複数の吐出口が所定方向に配列された吐出口列を備える記録部を前記所定方向と交差する方向に走査させながら前記複数の吐出口から前記記録剤を吐出させることで、記録媒体上に画像を形成する処理であることを特徴とする制御方法。
【請求項１９】
外部装置に給電を行う電力供給装置において実行される制御方法であって、
前記外部装置と接続する接続ステップと、
前記接続ステップにて接続した外部装置に電力を供給する処理を、電源から出力される電力を用いて実行する給電ステップと、
前記外部装置に電力を供給する処理以外の処理を、前記電源から出力される電力を用いて実行する実行ステップと、を有し、
前記実行ステップでは、前記給電ステップと同時に実行される場合の、前記外部装置に電力を供給する処理以外の処理において用いられる電力のピーク値を、前記給電ステップと同時に実行されない場合の、前記外部装置に電力を供給する処理以外の処理において用いられる電力のピーク値より小さくし、
前記外部装置に電力を供給する処理以外の処理は、記録媒体に転写された記録剤を、前記記録媒体を搬送しながら、加熱及び加圧して前記記録媒体に定着させることで、前記記録媒体上に画像を形成する処理であることを特徴とする制御方法。
【請求項２０】
請求項１乃至請求項１５のいずれか一項に記載の電力供給装置の各手段をコンピュータにより実現することを特徴とするプログラム。
【発明の詳細な説明】
【技術分野】
【０００１】
本発明は、電力供給装置、制御方法及びプログラムに関する。
【背景技術】
【０００２】
接続している外部装置に対して給電を行うことができる装置が知られている。例えば、近年ＵＳＢパワーデリバリという規格が制定されたことにより、ＵＳＢパワーデリバリに対応する電力供給装置は、ＵＳＢインタフェースを介して接続される外部装置からの給電要求に応じて、最大１００Ｗに達する電力を供給可能となった。
【０００３】
特許文献１には、ＵＳＢインタフェースを介して接続する外部装置に電力を供給できる装置が記載されている。
【先行技術文献】
【特許文献】
【０００４】
【特許文献１】特開２０１５−８８０３６号公報
【発明の概要】
【発明が解決しようとする課題】
【０００５】
ところで、特許文献１のような、外部装置に対して給電を行う電力供給装置において、給電と画像処理等の他の処理とが同時に実行される場合のピーク消費電力値について考慮されてなかった。
【０００６】
そこで、本発明は、出力可能電力値が小さい電源から出力される電力を用いて、給電と給電以外の処理を同時に実行することができる電力供給装置、制御方法及びプログラムを提供することを目的とする。
【課題を解決するための手段】
【０００７】
そこで、上記目的を達成するために、本発明の電力供給装置は、
外部装置に給電を行う電力供給装置であって、
前記外部装置と接続する接続手段と、
前記接続手段が接続している外部装置に電力を供給する処理を、電源から出力される電力を用いて実行する給電手段と、
前記給電手段が実行する処理以外の処理を、前記電源から出力される電力を用いて実行する実行手段と、を有し、
前記実行手段は、前記給電手段が電力を供給する処理を実行している場合の、前記給電手段が実行する処理以外の処理において用いられる電力のピーク値を、前記給電手段が電力を供給する処理を実行していない場合の、前記給電手段が実行する処理以外の処理において用いられる電力のピーク値より、前記給電手段が供給している電力の電力値に応じて小さくすることを特徴とする。
また、本発明の電力供給装置は、
外部装置に給電を行う電力供給装置であって、
前記外部装置と接続する接続手段と、
前記接続手段が接続している外部装置に電力を供給する処理を、電源から出力される電力を用いて実行する給電手段と、
前記給電手段が実行する処理以外の処理を、前記電源から出力される電力を用いて実行する実行手段と、を有し、
前記実行手段は、前記給電手段が第１の電力値の電力を供給する処理を実行している場合の、前記給電手段が実行する処理以外の処理において用いられる電力のピーク値を、前記給電手段が前記第１の電力値より小さい第２の電力値の電力を供給する処理を実行している場合の、前記給電手段が実行する処理以外の処理において用いられる電力のピーク値より小さくすることを特徴とする。
また、本発明の電力供給装置は、
外部装置に給電を行う電力供給装置であって、
前記外部装置と接続する接続手段と、
前記接続手段が接続している外部装置に電力を供給する処理を、電源から出力される電力を用いて実行する給電手段と、
前記給電手段が実行する処理以外の処理を、前記電源から出力される電力を用いて実行する実行手段と、を有し、
前記実行手段は、前記給電手段が電力を供給する処理を実行している場合の、前記給電手段が実行する処理以外の処理において用いられる電力のピーク値を、前記給電手段が電力を供給する処理を実行していない場合の、前記給電手段が実行する処理以外の処理において用いられる電力のピーク値より小さくし、
前記外部装置に電力を供給する処理以外の処理は、記録剤を吐出する複数の吐出口が所定方向に配列された吐出口列を備える記録部を前記所定方向と交差する方向に走査させながら前記複数の吐出口から前記記録剤を吐出させることで、記録媒体上に画像を形成する画像処理であることを特徴とする。
また、本発明の電力供給装置は、
外部装置に給電を行う電力供給装置であって、
前記外部装置と接続する接続手段と、
前記接続手段が接続している外部装置に電力を供給する処理を、電源から出力される電力を用いて実行する給電手段と、
前記給電手段が実行する処理以外の処理を、前記電源から出力される電力を用いて実行する実行手段と、を有し、
前記実行手段は、前記給電手段が電力を供給する処理を実行している場合の、前記給電手段が実行する処理以外の処理において用いられる電力のピーク値を、前記給電手段が電力を供給する処理を実行していない場合の、前記給電手段が実行する処理以外の処理において用いられる電力のピーク値より小さくし、
前記外部装置に電力を供給する処理以外の処理は、記録媒体に転写された記録剤を、前記記録媒体を搬送しながら、加熱及び加圧して前記記録媒体に定着させることで、前記記録媒体上に画像を形成する画像処理であることを特徴とする。
【発明の効果】
【０００８】
本発明によれば、出力可能電力値が小さい電源から出力される電力を用いて、給電と給電以外の処理を同時に実行することができる。
【図面の簡単な説明】
【０００９】
【図１】本発明を適用した電力供給装置が実行する給電のための処理を示すフローチャート
【図２】本発明を適用した電力供給装置が実行する、給電プロファイルの選択及び印刷モードの設定の処理を示すフローチャート
【図３】本発明を適用した電力供給装置が画像処理中に実行する給電のための処理を示すフローチャート
【図４】本発明を適用した電力供給装置が実行する、給電プロファイルの選択及び印刷モードの設定の処理を示すフローチャート
【図５】印刷品質優先モード設定画面の一例を示す図
【図６】給電の拒否をユーザに通知するための画面の一例を示す図
【図７】印刷品質優先モード設定画面の一例を示す図
【図８】本発明を適用した電力供給装置の概略構成を示すブロック図
【図９】本発明を適用した電力供給装置を含む給電システムの概略図
【発明を実施するための形態】
【００１０】
以下に図面を参照して、本発明の好適な実施形態を例示的に説明する。ただし、本発明については、その趣旨を逸脱しない範囲で、当業者の通常の知識に基づいて、以下に記載する実施形態に対して適宜変更、改良が加えられたものについても本発明の範囲に入ることが理解されるべきである。
【００１１】
（第１実施形態）
本発明を適用した電力供給装置及び、本発明を適用した電力供給装置から給電を受け付ける外部装置について説明する。本実施形態において、電力供給装置としてインクジェット方式のマルチファンクションプリンタ（ＭＦＰ）を例示している。なお、電力供給装置は、外部装置への給電機能を有する装置であれば良く、例えば、パーソナルコンピュータ（ＰＣ）等の装置であっても良い。さらに、電力供給装置は、フルカラーレーザービームプリンタやモノクロプリンタ、複写機、ファクシミリ、スキャナ等の装置であっても良い。さらに、それらの装置は、マルチファンクションであってもシングルファンクションであっても良い。また、本実施形態において、外部装置として携帯端末を例示している。なお、外部装置は、電力供給装置から給電を受ける装置であれば良く、例えば、スマートホン、ＰＣ、タブレット端末、ＰＤＡ、デジタルカメラ、ハードディスク（ＨＤＤ）、電力供給装置に取り付け可能なオプション機器等の装置でもあっても良い。
【００１２】
図９は、本実施形態の給電システムを示す概略図である。本実施形態の給電システムは、ＭＦＰ１００と携帯端末２００を含み、ＭＦＰ１００と携帯端末２００は、ＵＳＢケーブル３００によって接続可能となっている。ＭＦＰ１００は、本発明を適用した電力供給装置である。ＭＦＰ１００は、給電機能としてＵＳＢ（Ｕｎｉｖｅｒｓａｌ  Ｓｅｒｉａｌ  Ｂｕｓ）パワーデリバリ機能を有しており、本実施形態の給電システムにおける給電装置として動作する。携帯端末２００は、本実施形態における外部装置であり、本実施形態の給電システムにおける受電装置として動作する。ＵＳＢケーブル３００は、各種のＵＳＢ規格に準じて各装置を接続させており、各装置間のデータ通信や電力の供給を行う。なお、ＵＳＢパワーデリバリ機能とは、ＵＳＢインタフェースを介して接続している受電装置に対して電力を供給する機能である。具体的には、給電装置は、受電装置からの給電要求を受け付けると、受け付けた給電要求の内容に応じた電圧と電流にて、受電装置に電力を供給する。
【００１３】
図８は、ＭＦＰ１００の概略構成を示すブロック図である。
【００１４】
ＣＰＵ８０１は、システム制御部であり、ＭＦＰ１００の全体を制御する。
【００１５】
ＲＯＭ８０２は、ＣＰＵ８０１が実行する制御プログラムや組込オペレーティングシステム（以下、ＯＳ）プログラム等の各種プログラムを格納する。本実施形態では、ＲＯＭ８０２に格納されている制御プログラムは、ＲＯＭ８０２に格納されている組込ＯＳの管理下で、スケジューリングやタスクスイッチ等のソフトウエア制御を行う。
【００１６】
ＲＡＭ８０３は、ＳＲＡＭ（ｓｔａｔｉｃ  ＲＡＭ）等のメモリで構成され、プログラム制御変数、ユーザが登録した設定値、ＭＦＰ１００の管理データ、給電プロファイルの情報、印刷モードの設定情報等を格納し、各種ワーク用バッファ領域が設けられている。
【００１７】
操作部８０４は、電源キー、動作スタートキー、動作ストップキー、ホームポジションキーなどの操作ボタンと、タッチセンサーを備えた液晶表示器で構成され、ＭＦＰ１００の各種動作や各種設定を行うためのユーザーインタフェースである。操作部８０４は、ユーザから各種入力を受け付けると、受け付けた入力内容をＣＰＵ８０１に通知し、入力内容に応じた処理を実行させる。
【００１８】
パワーデリバリ電源部８０５は、ＵＳＢパワーデリバリ機能に対応したＵＳＢデバイス８１２に対し、ＵＳＢパワーデリバリ機能で規定された給電プロファイルによって定められた電力値で給電を行う。なお、パワーデリバリ電源部８０５は、ＣＰＵ８０１によって制御されることにより、ＵＳＢパワーデリバリ機能のＯＮとＯＦＦとを切り替え可能である。
【００１９】
ＵＳＢ  Ｉ／Ｆ８０６は、ＵＳＢデバイス８１２と接続するためのコネクタを備えたインタフェースで、ＵＳＢデバイス８１２とＭＦＰ１００間の通信や、パワーデリバリ電源部８０５から供給される電力の送電を行う。
【００２０】
画像処理部８０７は、印刷対象の画像データに対し、画像処理制御部（不図示）を介して、スムージング処理や記録濃度補正処理、色補正等の各種画像処理を施すことで、印刷対象の画像データを高精細な画像データに変換し、記録部８０９に出力する。
【００２１】
読取部８０８は、密着型イメージセンサ（ＣＩＳ）もしくはＣＣＤ等の光電変換手段を具備し、ＣＰＵ８０１の制御に基づいてＣＩＳまたはＣＣＤを介して読み取った原稿の画像データを、順次画像処理部８０７に送る。
【００２２】
記録部８０９は、インクジェット方式のプリントデバイスを備え、ＵＳＢデバイス８１２等から受信する印刷ジョブや操作部８０４に対する操作等に基づいて、プリントデバイス制御及び画像処理部８０７から出力される画像データの印刷を行う。具体的には、記録部８０９は、インク等の記録剤を用いて紙等の記録媒体上に画像を形成することで、印刷結果を出力する。
【００２３】
駆動部８１０は、読取部８０８及び記録部８０９が備える給排紙ローラを駆動するためのモータと、モータの駆動力を伝達するギヤ、モータを駆動するドライバ回路等から構成され、ＣＰＵ８０１の制御により駆動する。
【００２４】
センサ部８１１は、原稿有無センサ、記録紙有無センサ、エンコ−ダ等から構成され、原稿および記録紙の状態を検出して、それらの搬送量等を制御する。
【００２５】
上記各種構成要素８０１〜８１１は、ＣＰＵ８０１が管理するシステムバス８１３を介して、相互に接続されている。
【００２６】
また、ＭＦＰ１００は、ＭＦＰ１００が備える各構成に電力を供給する不図示の電源を有する。ＭＦＰ１００が有する電源は、ＭＦＰ１００が給電要求を受け付けた場合、パワーデリバリ電源部８０５を介して、給電の要求元の外部装置に対しても電力の供給を行う。また、ＭＦＰ１００が有する電源が出力する電力は、画像処理等のＭＦＰ１００が実行する他の処理においても用いられる。そのため、ＭＦＰ１００が有する電源は、ＭＦＰ１００が給電と画像処理等の他の処理とを同時に実行する場合は、給電に使用される電力と他の処理に使用される電力とを同時に出力することになる。したがって、ＭＦＰ１００において給電以外に用いられる電力の消費量をそのままとした場合、ＭＦＰ１００の電源の出力可能電力値を大きくしなければならない。しかしながら、電源は、出力可能電力値が大きくなるほど、コストが高くなったり、大型化してしまう。そこで、本実施形態では、ＭＦＰ１００は、給電中には、給電以外の他の処理を省電力で行い、給電以外の他の処理において用いられる電力のピーク値（ピーク消費電力値）を小さくする。このような形態とすることで、ＭＦＰ１００は、出力可能電力値の小さい電源によって、給電と他の処理とを同時に実行することができる。なお、電源は、ＭＦＰ１００が有していなくても良く、ＭＦＰ１００は、他の装置が備えている電源から出力される電力にて、処理を実行しても良い。
【００２７】
ＵＳＢデバイス８１２は、ＵＳＢインタフェース部を備え、ＵＳＢパワーデリバリ機能に対応した外部装置である。本実施形態において、携帯端末２００がＵＳＢデバイス８１２に該当する。ＵＳＢデバイス８１２が、ＭＦＰ１００に接続するとＵＳＢ  Ｉ／Ｆ８０６を介してＭＦＰ１００と通信を行う。このとき、ＭＦＰ１００は、ＵＳＢデバイス８１２から給電要求があれば、ＵＳＢパワーデリバリ機能によって給電を行う。
【００２８】
給電要求とは、ＵＳＢパワーデリバリで規定された形式の情報であり、給電装置に対して給電を要求するための情報である。なお、給電要求には、要求する電流の値や電圧の値といった、要求する給電に係る設定情報が含まれている。なお、給電要求の内容は、例えば、当該給電要求を送信する受電装置の機種や仕様に応じて定まる。また、本実施形態において、給電要求にて要求できる電流は、１．５、２、３、５Ａのいずれかであり、要求できる電圧は、５、１２、２０Ｖのいずれかであるものとする。また、給電要求によって要求される電流の値と電圧の値の組み合わせによって、ＵＳＢパワーデリバリ機能において供給する電力の電力値が定まる。本実施形態では、ＭＦＰ１００が供給可能な電力値は、１０、１８、３６、６０、１００Ｗのいずれかであり、これらの電力値に対応して給電プロファイルが定められているものとする。なお、給電プロファイルはこれらに限定されず、安全規格要求を満たす電力値（１００Ｗ以下）であれば、任意の電圧の値と電流の値を組合せて、任意の給電プロファイルを設定してもよい。
【００２９】
給電プロファイルとは、ＵＳＢパワーデリバリ規格に準ずるプロファイルであり、ＵＳＢパワーデリバリ機能においてどのような電力値で給電を行うかを定めたプロファイルである。給電プロファイルに係る情報は、ＲＡＭ８０３等、ＭＦＰ１００が備えるメモリ内に格納されている。なお、本実施形態では、ＭＦＰ１００は、給電プロファイル１〜５の５つの給電プロファイルを有しており、給電要求の内容に応じてその中のいずれかの給電プロファイルを選択することで、供給する電力の電力値を決定する。給電プロファイル１〜５では、それぞれ１０、１８、３６、６０、１００Ｗの電力値で給電を行うことが定められている。また、本実施形態では、それぞれの給電プロファイルに対応して印刷モードが設定されているものとし、ＣＰＵ８０１は、いずれかの給電プロファイルを選択した場合、選択した給電プロファイルに対応する印刷モードを自身に設定する。具体的には、給電中には、給電要求に応じて供給する電力の値とＭＦＰ１００の給電以外の処理において消費するする電力のピーク値との合計値が、ＭＦＰ１００が有する電源の出力可能電力値以下となるように、印刷モードを設定する。
【００３０】
ここで、印刷モードとは、記録部８０９が印刷を行う際にＭＦＰ１００によって実行される制御を定めるために、ＭＦＰ１００に設定されるモードである。本実施形態において、ＭＦＰ１００に設定される印刷モードには、標準印刷モードと、標準印刷モードよりも消費電力の小さい省電力状態で印刷を実行する省電力印刷モードとがある。なお、標準印刷モードは、後述の省電力制御を実行せずに通常状態で印刷を実行するモードであり、ＭＦＰ１００が給電を実行していない場合に、ＭＦＰ１００に対して設定される。また、省電力印刷モードは、後述の省電力制御を実行して印刷を行うモードであり、本実施形態においては、ＭＦＰ１００が給電を実行している場合に、ＭＦＰ１００に対して設定される。なお、電力供給装置は、省電力印刷モードを１つ有していればよいが、省電力効果の異なる複数のモードを有していても良い。本実施形態では、電力供給装置は、省電力印刷モード１〜５を有するものとする。また、省電力印刷モードの詳細は任意に設定可能であり、本実施形態では、省電力印刷モード１が一番消費電力が大きく、順に消費電力が小さくなり省電力印刷モード５が一番消費電力が小さくなるように設定する。また、本実施形態では、ＭＦＰ１００が給電を実行している場合に省電力印刷モード１〜５のうちいずれが設定されるかは、給電要求の内容及び選択された給電プロファイルによって定まる。
【００３１】
省電力制御について説明する。省電力制御とは、省電力印刷モードが設定されているＭＦＰ１００が実行する、給電以外の処理において用いられる電力のピーク値を小さくするための制御である。なお、１つの処理に対して実行される省電力制御の数は、１つであっても複数であっても良い。本実施形態では、ＭＦＰ１００は、給電以外の処理として印刷処理を省電力で実行することができるものとする。具体的には、省電力制御として、印刷処理を省電力で実行するために、以下の２つの省電力制御を行うものとする。本実施形態では、ＭＦＰ１００は、電圧値は変化させず、省電力制御によって記録ヘッド等の動作を抑制し、消費電流値を小さくすることで、消費電力のピーク値を小さくする。
【００３２】
１つ目の省電力制御は、記録媒体上にインクを吐出する位置に対応する記録画素が複数配置されたマスクパターンにしたがってインクを吐出し、単位領域に対して複数回走査することによって画像を形成する処理（印刷マスク処理）を実行する制御である。この制御は、通常状態の場合（標準印刷モードが設定されている場合）よりも、１回の記録ヘッドの走査において吐出口からインクが吐出される回数を減らすことで、吐出口からインクを吐出するための記録素子の駆動回数を減らす制御である。例えば省電力印刷モード１が設定されている場合は、ＭＦＰ１００は、１回の記録ヘッドの走査において吐出口からインクが吐出される回数を通常の場合より５０％減らして、全吐出口幅を印刷する。そして、１回目の走査おいて印刷ドット数が間引かれた部分は、走査を再度行い、間引かれた部分を埋めるマスクパターンに従って記録を行う。この制御の実行によって、印刷速度は遅くなるが、記録素子を単位時間当たりに駆動させる回数を減らすことができるので、印刷処理におけるピーク消費電力値を低減できる。省電力印刷モード２〜５が設定されている場合は、ＭＦＰ１００は、同様の印刷マスク処理を実行するが、吐出口からインクが吐出される回数をより減らし、それに伴って同一ラインの走査回数を増やすことで印刷処理におけるピーク消費電力値の低減率を大きくしても良い。
【００３３】
２つ目の省電力制御は、インクジェット方式のプリンタの記録ヘッドの１回の走査において利用する吐出口の数を分割する処理（スキャン分割処理）を実行する制御である。記録ヘッドには、記録ヘッドの走査方向と交差する方向に吐出口が１０００本以上配列されている。通常の場合（標準印刷モードが設定されている場合）、ＭＦＰ１００は、吐出口列に配列されている全吐出口を使用して、全吐出口幅を１回の走査で印刷する制御を実行する。これに対して、例えば省電力印刷モード４が設定されている場合は、ＭＦＰ１００は、１回の走査で使用する吐出口を２分割して、２回の走査で全吐出口幅を印刷する。この制御の実行によって、印刷速度は遅くなるが、吐出口が半分になるので印刷処理におけるピーク消費電力値を低減できる。しかしながら、この制御は、走査するライン数が増えるため、つなぎスジが多く発生してしまい、標準印刷モードと比べると印刷物の画質が劣化してしまう。なお、つなぎスジとは、後続ラインに打ち込まれた記録剤が先行ライン側に流れ込むことで先行ライン端部の記録剤濃度が上昇してしまうことで生じる課題である。そのため、印刷マスク処理は、よりピーク消費電力値の低減が求められる省電力印刷モード４及び５が設定されている場合のみ実行されるものとする。省電力印刷モード５が設定されている場合は、ＭＦＰ１００は、同様のスキャン分割処理を実行するが、使用する吐出口の分割数を増やすことで印刷処理におけるピーク消費電力値の低減率を大きくしても良い。なお、例えば、上述では、スキャン分割処理は省電力印刷モード４、５でしか実行されない構成を説明したが、これに限定されず、例えば、省電力印刷モード３〜５で実行されても良いし、全ての省電力印刷モードで実行されても良い。
【００３４】
省電力印刷モードにおいて実行される省電力制御はこれらに限定されず、例えば、記録媒体の搬送速度を下げる処理を実行する制御等、印刷処理におけるピーク消費電力値を低減させることができる種々の制御が利用可能である。また、これらの省電力制御の内容を変更したり、省電力制御の組合せを変更することによって、省電力印刷モードの内容を変更しても良いし、省電力印刷モードの数を増減させても良い。また、上述の説明では、インクジェット方式のプリンタにおいて実行される省電力制御の例について説明したが、ＭＦＰ１００が、例えば電子写真方式のプリンタ等、他の方式を利用するプリンタであれば、それに応じた省電力制御が実行される。例えば、電子写真方式のプリンタであれば、記録媒体に転写されたトナーを加熱及び加圧して記録媒体に定着させるための定着温度を下げる処理や、トナーを記録媒体に定着させる際の記録媒体搬送速度を下げる処理等が、省電力制御として実行される。
【００３５】
また、給電以外の処理としてスキャン処理において省電力制御を実行しても良く、この場合、ＭＦＰ１００は、例えば原稿の読み取り速度を下げる処理等の省電力制御を実行する。さらに、給電以外の処理として、印刷やスキャン等の画像処理以外の処理において省電力制御を実行しても良い。この場合、ＭＦＰ１００は、例えば、ＭＦＰ１００が備える表示部が画面を表示する処理において、表示部への電力の供給を停止し、画面の表示を停止する等の省電力制御を実行する。また、給電以外の処理が複数ある場合、その中の１又は２以上の処理において省電力制御を実行しても良い。この場合、用いられる電力のピーク値が大きい処理において省電力制御が実行されることで、より効果が大きくなる。
【００３６】
給電以外の処理で省電力制御する処理としては、上述した印刷処理やスキャン処理に限定されず、他の処理であってもよいし、これらのうち複数の処理としてもよい。
【００３７】
図１は、本実施形態においてＭＦＰ１００が実行する給電のための処理を示すフローチャートである。なお、このフローチャートが示す処理は、ＣＰＵ８０１が、ＲＯＭ８０２又はＭＦＰ１００が備えるＨＤＤ（不図示）等に記憶されている制御プログラムをＲＡＭ８０３にロードし、その制御プログラムを実行することで実現される。ＭＦＰ１００は、電源が投入されると、動作に必要な設定を行い、スタンバイ状態に入る。スタンバイ状態において、ＭＦＰ１００には、印刷モードとして標準印刷モードが設定されている。このフローチャートが示す処理は、ＭＦＰ１００がスタンバイ状態になっている状態で開始されるものとする。
【００３８】
まず、Ｓ１０１では、ＣＰＵ８０１は、ＵＳＢ  Ｉ／Ｆ８０６にＵＳＢデバイス（ここでは携帯端末２００）が接続されているか否かを判定する。ＣＰＵ８０１は、携帯端末２００が接続されている場合、Ｓ１０２の処理を行い、携帯端末２００が接続されていない場合、Ｓ１０５の処理を行う。
【００３９】
Ｓ１０２では、ＣＰＵ８０１は、ＵＳＢ  Ｉ／Ｆ８０６と接続している携帯端末２００から、給電要求を受け付けたか否かを判定する。ＣＰＵ８０１は、給電要求を受け付けた場合、Ｓ１０３の処理を行い、給電要求を受け付けなかった場合、Ｓ１０７の処理を行う。
【００４０】
Ｓ１０３では、ＣＰＵ８０１は、受け付けた給電要求に含まれる、電流値や電圧値等の給電に係る設定情報を参照して、給電プロファイルの選択及び印刷モードの設定を行う。この処理の詳細は、図２を用いて後述する。
【００４１】
続いて、Ｓ１０４では、ＣＰＵ８０１は、ＵＳＢパワーデリバリ機能をＯＮにし、Ｓ１０４にて選択された給電プロファイル応じて供給する電力の電力値を定める。そして、ＣＰＵ８０１は、給電要求に応じた電圧値及び電流値にて、携帯端末２００に対して給電を開始する。なおこのとき、ＣＰＵ８０１は、すでにＵＳＢパワーデリバリ機能がＯＮになっており、給電を開始している場合は、引き続き給電を行う。
【００４２】
Ｓ１０５では、ＣＰＵ８０１は、ＣＰＵ８０１は、ＭＦＰ１００に設定されている印刷モードを初期化（標準印刷モードに設定）する。このような形態とすることで、ＭＦＰ１００は、携帯端末２００との接続が解除された場合に、ＭＦＰ１００の印刷モードを初期設定に戻し、省電力制御を行わない通常の印刷処理を再開することができる。
【００４３】
Ｓ１０６では、ＣＰＵ８０１は、ＵＳＢパワーデリバリ機能をＯＦＦにし、携帯端末２００への給電を中止する。
【００４４】
続いて、Ｓ１０７では、ＣＰＵ８０１は、未処理の印刷ジョブがあるか否かを判定する。未処理の印刷ジョブがある場合、Ｓ１０８の処理を行い、未処理の印刷ジョブがない場合、再びＳ１０１の処理を行う。
【００４５】
Ｓ１０８では、ＣＰＵ８０１は、ＭＦＰ１００に設定されている印刷モードに応じて省電力制御を実行しながら、印刷ジョブに応じた印刷を行う。なおこのとき、ＭＦＰ１００に標準印刷モードが設定されている場合は、ＣＰＵ８０１は、省電力制御を実行しない。印刷終了後、ＣＰＵ８０１は、再びＳ１０１の処理を行う。
【００４６】
このように、本実施形態においてＭＦＰ１００は、給電要求の受付に応じて省電力印刷モードを設定することで、印刷処理におけるピーク消費電力値を低減することができ、要求されている通りの給電を行いつつ、印刷を実行することができる。さらに、ＭＦＰ１００は、受け付けた給電要求の内容に応じて、実行する省電力制御の内容を可変にできるため、給電要求の内容に応じた適切な印刷品質にて印刷を実行することができる。
【００４７】
次に、図２を用いて、給電プロファイルの選択及び印刷モードの設定の処理の詳細を説明する。
【００４８】
図２は、本実施形態においてＭＦＰ１００が実行する、給電プロファイルの選択及び印刷モードの設定の処理を示すフローチャートである。なお、このフローチャートが示す処理は、ＣＰＵ８０１が、ＲＯＭ８０２又はＭＦＰ１００が備えるＨＤＤ（不図示）等に記憶されている制御プログラムをＲＡＭ８０３にロードし、その制御プログラムを実行することで実現される。このフローチャートが示す処理は、Ｓ１０３の処理及び後述のＳ３０４の処理に対応しており、ＣＰＵ８０１がＳ１０２又は後述のＳ３０３の処理を終えた場合等、ＭＦＰ１００が給電を開始することが決定した場合に開始されるものとする。
【００４９】
まず、Ｓ２０１では、ＣＰＵ８０１は、給電要求の内容を確認し、「５Ｖ」の値の電圧が要求されているか否かを判定する。「５Ｖ」の値の電圧を要求している給電要求に対応する給電プロファイルは、１０Ｗ（電圧値５Ｖ、電流値２Ａ）の電力値で給電を行うことが定められている給電プロファイル１である。そのため、ＣＰＵ８０１は、「５Ｖ」の値の電圧が要求されている場合、Ｓ２１０にて、利用する給電プロファイルとして給電プロファイル１を選択する。その後、ＣＰＵ８０１は、Ｓ２１５にて、給電プロファイル１に対応する印刷モードである省電力印刷モード１を自身に設定する。また、「５Ｖ」の値の電圧が要求されていない場合、ＣＰＵ８０１は、Ｓ２０２の処理を行う。
【００５０】
Ｓ２０２では、ＣＰＵ８０１は、給電要求の内容を確認し、「１２Ｖ」と「２０Ｖ」のいずれの値の電圧が要求されているかを判定する。「１２Ｖ」の値の電圧が要求されている場合、ＣＰＵ８０１は、Ｓ２０４の処理を行い、「２０Ｖ」の値の電圧が要求されている場合、ＣＰＵ８０１は、Ｓ２０３の処理を行う。
【００５１】
Ｓ２０３では、ＣＰＵ８０１は、給電要求の内容を確認し、「３Ａ」と「５Ａ」のいずれの値の電流が要求されているかを判定する。ＣＰＵ８０１は、「３Ａ」の値の電流が要求されている場合、Ｓ２０７にて、利用する給電プロファイルとして６０Ｗ（電圧値２０Ｖ、電流値３Ａ）の電力値で給電を行うことが定められている給電プロファイル４を選択する。その後、ＣＰＵ８０１は、Ｓ２１２にて、給電プロファイル４に対応する印刷モードである省電力印刷モード４を自身に設定する。また、ＣＰＵ８０１は、「５Ａ」の値の電流が要求されている場合、Ｓ２０６にて、利用する給電プロファイルとして１００Ｗ（電圧値２０Ｖ、電流値５Ａ）の電力値で給電を行うことが定められている給電プロファイル５を選択する。その後、ＣＰＵ８０１は、Ｓ２１１にて、給電プロファイル５に対応する印刷モードである省電力印刷モード５を自身に設定する。
【００５２】
Ｓ２０４では、ＣＰＵ８０１は、給電要求の内容を確認し、「１．５Ａ」の値の電流が要求されているか否かを判定する。ＣＰＵ８０１は、「１．５Ａ」の値の電流が要求されている場合、Ｓ２０９にて、利用する給電プロファイルとして１８Ｗ（電圧値１２Ｖ、電流値１．５Ａ）の電力値で給電を行うことが定められている給電プロファイル２を選択する。その後、ＣＰＵ８０１は、Ｓ２１４にて、給電プロファイル２に対応する印刷モードである省電力印刷モード２を自身に設定する。ＣＰＵ８０１は、「１．５Ａ」の値の電流が要求されていない場合、Ｓ２０５の処理を行う。
【００５３】
Ｓ２０５では、ＣＰＵ８０１は、給電要求の内容を確認し、「３Ａ」と「５Ａ」のいずれの値の電流が要求されているかを判定する。ＣＰＵ８０１は、「３Ａ」の値の電流が要求されている場合、Ｓ２０８にて、利用する給電プロファイルとして３６Ｗ（電圧値１２Ｖ、電流値３Ａ）の電力値で給電を行うことが定められている給電プロファイル３を選択する。その後、ＣＰＵ８０１は、Ｓ２１３にて、給電プロファイル３に対応する印刷モードである省電力印刷モード３を自身に設定する。また、ＣＰＵ８０１は、「５Ａ」の値の電流が要求されている場合、Ｓ２０７にて、利用する給電プロファイルとして６０Ｗ（電圧値１２Ｖ、電流値５Ａ）の電力値で給電を行うことが定められている給電プロファイル４を選択する。その後、ＣＰＵ８０１は、Ｓ２１２にて、給電プロファイル４に対応する印刷モードである省電力印刷モード４を自身に設定する。
【００５４】
ＣＰＵ８０１は、Ｓ２１１〜Ｓ２１５のいずれかの処理が終了して印刷モードの設定変更が完了したら、Ｓ１０４にて携帯端末２００に対し給電を開始する。具体的には、ＣＰＵ８０１は、ＵＳＢパワーデリバリ機能をＯＮにし、選択した給電プロファイルに応じて出力する電力の電力値を定め、給電要求の内容に応じた供給電圧値及び供給電流値にて携帯端末２００に対し給電を開始する。
【００５５】
このように、ＭＦＰ１００は、携帯端末２００に対し給電を行っている状態で印刷を実行する場合、省電力制御を実行することで印刷を省電力で実行することができる。このような形態とするとで、ＭＦＰ１００は、給電と印刷とを同時に実行する場合のピーク消費電力値を低減させることができる。さらに、本実施形態では、ＭＦＰ１００は、給電要求の内容及び選択した給電プロファイルに応じて印刷モードを変更することで、給電要求の内容及び選択した給電プロファイルに応じた適切な省電力制御を印刷時に実行することができる。
【００５６】
例えば、１００Ｗの電力にて印刷を行う電力供給装置は、１００Ｗの給電要求に応じるためには、電源の変換効率を加味すると２５０Ｗ相当の電力を出力可能な電源を備えている必要がある。しかしながら、印刷処理におけるピーク消費電力値を低減し、例えば５０Ｗの電力にて印刷を行うことができれば、１００Ｗの給電要求に応じる場合でも、２００Ｗ相当の電力を出力可能な電源を備えていれば良いことになる。上述したように、本実施形態では、ＭＦＰ１００は、給電要求の内容に応じて印刷モードを変更し、印刷時に省電力制御を実行する。その結果、印刷処理におけるピーク消費電力値が低減するため、ＭＦＰ１００は、出力可能電力値の小さい電源で給電と印刷の双方を実行でき、電源のためのコストの削減や装置の小型化が実現できる。
【００５７】
（第２実施形態）
第１実施形態では、印刷の前に給電要求が合った場合、当該給電要求の内容に応じて印刷モードを変更することで、印刷時に省電力制御を実行してピーク消費電力を低減する電力供給装置について説明した。第２実施形態では、印刷中に給電要求が合った場合、印刷中に印刷モードを変更し、省電力制御を開始可能な電力供給装置について説明する。なお、本実施形態における給電システムは、第１実施形態にて説明した給電システムと同様のものとする。
【００５８】
図３は、本実施形態においてＭＦＰ１００が実行する処理を示すフローチャートである。なお、このフローチャートが示す処理は、ＣＰＵ８０１が、ＲＯＭ８０２又はＭＦＰ１００が備えるＨＤＤ（不図示）等に記憶されている制御プログラムをＲＡＭ８０３にロードし、その制御プログラムを実行することで実現される。このフローチャートが示す処理は、ＭＦＰ１００が印刷を行っている状態で開始されるものとする。
【００５９】
また、Ｓ３０１〜Ｓ３０８の処理は、Ｓ１０１〜Ｓ１０８の処理と同様であるので、説明を省略する。
【００６０】
Ｓ３０９では、ＣＰＵ８０１は、Ｓ３０４にて設定された省電力印刷モードに応じた省電力制御を開始する。
【００６１】
Ｓ３１０では、ＣＰＵ８０１は、Ｓ３０９で開始した省電力制御を停止し、標準印刷モードに応じた印刷を開始する。
【００６２】
Ｓ３１１では、ＣＰＵ８０１は、印刷が終了しているか否かを判定する。ＣＰＵ８０１は、印刷処理が終了していない場合、再びＳ３０１の処理を行い、印刷処理が終了している場合、処理を終了する。
【００６３】
このように、本実施形態では、ＭＦＰ１００は、印刷処理中に給電要求を受け付けた場合でも、給電要求の受け付けと共に省電力制御を開始し、印刷を停止させることなく給電要求に応じることができる。さらに、ＭＦＰ１００は、印刷処理中に携帯端末２００との接続が解除され、給電を実行しなくなった場合に、省電力制御を行わない通常の印刷を再開することができる。
【００６４】
なお、本実施形態は、第１実施形態と組み合わせて利用されても良い。すなわち、本実施形態の処理は、Ｓ１０８において実行されても良い。さらに、本実施形態の処理が終了した場合は、ＣＰＵ８０１は、Ｓ１０１の処理を行う構成としても良い。このような形態とすることで、印刷の前であっても印刷の最中であっても、給電要求に応じた印刷モードを設定し、印刷処理におけるピーク消費電力値を低減することができる。
【００６５】
なお、本実施形態では、印刷中に給電要求を受け付けた場合に、印刷中に印刷モードを切り替える構成を説明したが、印刷中に印刷モードを切り替えると、印刷モードを切り替える前と切り替えた後とで、記録する画像の質が変化する場合がある。そのため、本実施形態では、印刷中には小さい電力値の給電要求のみ受け付け、画像の質の変化が小さい印刷モードにのみ切り替わる構成としても良い。
【００６６】
（第３実施形態）
ＭＦＰ１００は、大きい電力値の電力の供給を要求する給電要求を受け付けた場合、省電力効果の高い省電力印刷モードを設定することで、実使用上問題ない画質を保ちはするが、印刷物の画質の劣化を伴ってしまう省電力制御を印刷時に実行する場合がある。しかしながら、ユースケースによっては、給電要求に応じた給電を確実に行うことよりも、印刷物の画質の劣化を避けることが優先される場合もある。
【００６７】
そこで、本実施形態では、小さい電力値の電力の供給を要求する所定の給電要求のみを受け付け、それに対応する所定の省電力印刷モードのみを設定する電力供給装置について説明する。なお、本実施形態における給電システムは、第１実施形態にて説明した給電システムと同様のものとする。
【００６８】
まず、印刷品質優先モードについて説明する。印刷品質優先モードとは、印刷物の画質の劣化を伴ってしまう省電力制御を実行する印刷モードの設定を回避するモードであり、ユーザの操作によりＭＦＰ１００に設定される。図５は、印刷品質優先モードをＭＦＰ１００に設定するための画面である、印刷品質優先モード設定画面である。なお、印刷品質優先モード設定画面は、操作部８０４がユーザから印刷品質優先モードを設定するための操作を受け付けることで、ＭＦＰ１００が備えるオペレーションパネル（不図示）に表示される。ＭＦＰ１００は、印刷品質優先モード設定画面を介したユーザの操作により標準モードが選択された場合は、標準モードを自身に設定し、受け付けた全ての給電要求に対応して、給電プロファイルの選択及び印刷モードの設定を行う。一方、ＭＦＰ１００は、ユーザの操作により印刷品質優先モードが選択された場合は、印刷品質優先モードを自身に設定する。そして、ＭＦＰ１００は、受け付けた給電要求のうち印刷品質優先モードに対応した給電要求のみに応じて、給電プロファイルの選択及び印刷モードの設定を行う。なお、印刷品質優先モードに対応した給電要求とは、任意に設定可能な所定の値の電力値以下の電力の供給を要求する給電要求である。本実施形態では、印刷物の画質の劣化を伴ってしまう省電力制御を実行しない印刷モードが設定されることになる、３６Ｗ以下の電力の供給を要求する給電要求にのみ対応するものとする。このように、標準モードと印刷品質優先モードのいずれを設定するかをユーザが選択可能とすることで、ユーザは、給電要求に応じることと印刷品質を保つことのいずれを優先するかを選択することができる。
【００６９】
図４は、本実施形態においてＭＦＰ１００が行う、給電プロファイルの選択及び印刷モードの設定の処理を示すフローチャートである。なお、このフローチャートが示す処理は、ＣＰＵ８０１が、ＲＯＭ８０２又はＭＦＰ１００が備えるＨＤＤ（不図示）等に記憶されている制御プログラムをＲＡＭ８０３にロードし、その制御プログラムを実行することで実現される。なお、このフローチャートが示す処理は、Ｓ１０４及びＳ１０５の処理に対応しており、ユーザの操作によって「印刷品質優先モード」がＭＦＰ１００に設定されている場合且つＭＦＰ１００が給電を開始することが決定した場合に開始されるものとする。
【００７０】
また、Ｓ４０１、Ｓ４０４、Ｓ４０８〜Ｓ４１０及びＳ４１３〜Ｓ４１５の処理は、Ｓ２０１、Ｓ２０４、Ｓ２０８〜Ｓ２１０及びＳ２１３〜Ｓ２１５の処理と同様であるので、説明を省略する。
【００７１】
Ｓ４０２では、ＣＰＵ８０１は、給電要求の内容を確認し、「１２Ｖ」と「２０Ｖ」のいずれの値の電圧が要求されているかを判定する。「１２Ｖ」の値の電圧が要求されている場合、ＣＰＵ８０１は、Ｓ２０４の処理を行う。「２０Ｖ」の値の電圧が要求されている場合、給電要求に対応する給電プロファイルは、１００Ｗ（電圧値２０Ｖ、電流値５Ａ）の電力値で給電を行うことが定められている給電プロファイル５である。また、給電プロファイル５に対応する印刷モードは省電力印刷モード５である。省電力印刷モード５が設定されているＭＦＰ１００は、省電力制御処理としてスキャン分割処理を実行するため、印刷物の画質が劣化してしまう可能性がある。そこで、ＣＰＵ８０１は、Ｓ４１６の処理を実行する。
【００７２】
Ｓ４０５では、ＣＰＵ８０１は、給電要求の内容を確認し、「３Ａ」と「５Ａ」のいずれの値の電流が要求されているかを判定する。「３Ａ」の値の電流が要求されている場合、ＣＰＵ８０１は、Ｓ４０８の処理を行う。「５Ａ」の値の電流が要求されている場合、給電要求に対応する給電プロファイルは、６０Ｗ（電圧値１２Ｖ、電流値５Ａ）の電力値で給電を行うことが定められている給電プロファイル４である。また、給電プロファイル４に対応する印刷モードは省電力印刷モード４である。省電力印刷モード４が設定されているＭＦＰ１００は、省電力制御処理としてスキャン分割処理を実行するため、印刷物の画質が劣化してしまう可能性がある。そこで、ＣＰＵ８０１は、Ｓ４１６の処理を実行する。
【００７３】
Ｓ４１６では、ＣＰＵ８０１は、給電要求に応じた給電を拒否する。そのため、ＣＰＵ８０１は、給電プロファイルの選択や印刷モードの変更を行わない。このような形態とすることで、ＭＦＰ１００は、給電要求に応じることよりも、印刷品質を保つことを優先し、印刷品質を保てる場合のみ給電要求に応じることができる。なお、このとき、ＣＰＵ８０１は、図６のような、給電の拒否をユーザに通知し、標準モードへの変更を促すための画面を、ＭＦＰ１００が備えるオペレーションパネル（不図示）に表示しても良い。
【００７４】
Ｓ４１７では、ＣＰＵ８０１は、ＵＳＢパワーデリバリ機能をＯＮにし、給電要求の内容に応じて給電を開始する。
【００７５】
上述の実施形態では、６０Ｗ以上の電力の供給を要求する給電要求を受け付けない構成とした。しかし、これに限定されず、省電力印刷モードの内容やＭＦＰ１００が備えている電源の出力可能電力値に応じて、任意に設定可能な所定の電力値以上の電力の供給を要求する給電要求を受け付けない構成として良い。
【００７６】
なお、図７に示す設定画面のように複数の印刷品質優先モードを設けることで、対応する給電要求の範囲を選択できる構成としても良い。このとき、例えば、ＣＰＵ８０１は、印刷品質優先モード１が設定されている場合は、省電力印刷モード１〜２が設定される給電要求のみに対応する。また、ＣＰＵ８０１は、印刷品質優先モード２が設定されている場合は、省電力印刷モード１〜４が設定される給電要求のみに対応するようにする。
【００７７】
また、本実施形態では、印刷品質優先モードと標準モードとで切り替え可能な構成を説明したが、これに限定されない。例えば、ＭＦＰ１００に供給可能電力値が小さい電源しか備わっていない場合等、ＭＦＰ１００が大きい電力値の電力の供給を要求する給電要求には応じることができない場合がある。このような場合にも本実施形態は適用可能であり、ＭＦＰ１００は、所定の電力値以上の給電要求を排他するモード（本実施形態における印刷品質優先モード）のみで動作しても良い。この場合は、印刷物の画質の劣化を伴ってしまう省電力制御を印刷時に実行するか否かは関係なく、要求される電力値によって、排他する給電要求が定められる。
【００７８】
なお、本実施形態は、第２実施形態と組み合わせ、印刷の前であっても印刷の最中であっても、給電要求に応じた印刷モードを設定することができる構成としても良い。このとき、印刷処理中の給電プロファイルの選択及び印刷モードの設定の処理においても、印刷品質優先モードに応じた給電要求にのみ対応するようにする。
【００７９】
（その他の実施形態）
上述の実施形態では、ＭＦＰ１００がＵＳＢパワーデリバリ規格に準じて給電を行っているものとしたが、これに限定されず、例えば、ＰｏＥ（Ｐｏｗｅｒ  Ｏｖｅｒ  Ｅｔｈｅｒｎｅｔ（登録商標））等他の給電規格が用いられても良い。
【００８０】
上述の実施形態の効果を実現できれば、上述の実施形態のフローチャートの処理の順番を入れ替えても良いし、その全ての処理を実行しなくても良いし、処理の内容を変更しても良い。
【００８１】
上述の実施形態は、上述の実施形態の１以上の機能を実現するプログラムをネットワーク又は記憶媒体を介してシステム又は装置に供給し、そのシステム又は装置のコンピュータにおける１つ以上のプロセッサーがプログラムを実行する処理でも実現可能である。また、上述の実施形態は、１以上の機能を実現する回路（例えば、ＡＳＩＣ）によっても実現可能である。
【図１】
0006494461.tif 000002
【図２】
0006494461.tif 000003
【図３】
0006494461.tif 000004
【図４】
0006494461.tif 000005
【図５】
0006494461.tif 000006
【図６】
0006494461.tif 000007
【図７】
0006494461.tif 000008
【図８】
0006494461.tif 000009
【図９】
0006494461.tif 000010